(57)【要約】【課題】光ピックアップの薄型化を図りつつ、レンズ保持部のスクロールする幅を十分に確保することができるレンズ駆動機構を提供する。【解決手段】本発明のレンズ駆動機構は、光ディスクに対して光ビームを集光する対物レンズ２と対物レンズ２を光ディスクに対して移動可能に保持するレンズホルダ１０と、を備えたレンズ駆動機構５０であって、対物レンズ２には、反射面１０２ａが上記レンズホルダ１０を向いた傾斜面を持つ立上げミラー１０２によって反射された光が、光ビームとして入射され、立上げミラー１０２に端部が対向するようにレンズホルダ１０が設けられ、レンズホルダ１０の端部は、立上げミラー１０２側に切り欠き部を有している。【選択図】図１
2008065958.tif 000002
【特許請求の範囲】
【請求項１】
光記録媒体に対して光ビームを集光する対物レンズと、
上記対物レンズを上記光記録媒体に対して移動可能に保持するレンズ保持部と、を備えたレンズ駆動機構であって、
上記対物レンズには、反射面が上記レンズ保持部を向いた傾斜面を持つミラーによって反射された光が、上記光ビームとして入射され、
上記ミラーに端部が対向するように上記レンズ保持部が設けられ、上記レンズ保持部の端部は、上記ミラー側に切り欠き部を有していることを特徴とするレンズ駆動機構。
【請求項２】
上記切り欠き部は、傾斜して形成されていることを特徴とする請求項１に記載のレンズ駆動機構。
【請求項３】
上記レンズ保持部の端部の上記ミラー側に形成された斜面は、上記反射面と平行であることを特徴とする請求項２に記載のレンズ駆動機構。
【請求項４】
上記対物レンズは、上記レンズ駆動機構の端部に位置していることを特徴とする請求項１から３のいずれか１項に記載のレンズ駆動機構。
【請求項５】
上記対物レンズの外周には、上記レンズ保持部に保持されるための突起部が上記該対物レンズへの上記光ビームの入射方向と直交する方向に設けられており、該突起部は、上記レンズ保持部から突出しており、
上記突起部は、該突起部が突出している該レンズ保持部の周縁に沿うように切断されていることを特徴とする請求項１から４のいずれか１項に記載のレンズ駆動機構。
【請求項６】
レンズ保持部の端部は、上記ミラーの傾斜面における上記レンズ保持部側の端部よりも光ビームの入射側に位置していることを特徴とする請求項１から５のいずれか１項に記載のレンズ駆動機構。
【請求項７】
上記光ビームが上記対物レンズに導かれる光路が設けられていることを特徴とする請求項１から６のいずれか１項に記載のレンズ駆動機構。
【請求項８】
請求項１から７のいずれか１項に記載のレンズ駆動機構を備えたことを特徴とする光ピックアップ。
【発明の詳細な説明】
【技術分野】
【０００１】
本発明は、光記録媒体に対して光ビームを照射して情報を記録・再生する光ピックアップのレンズ駆動機構、およびそれを備えた光ピックアップに関するものである。
【背景技術】
【０００２】
光記録媒体に光ビームを照射することによって情報を記録および／または再生（以下、「記録および／または再生」を単に「記録・再生」と称する）する光ピックアップは、広く知られている。一般的に、光ピックアップは、光源、ビームスプリッタ、光検出器などの光学系が設けられている光学ボディ部と、対物レンズおよび対物レンズを駆動するための駆動手段を有するレンズ駆動装置部とから構成されている。
【０００３】
光ピックアップは、光源からの光ビームを対物レンズによって光記録媒体の所定の面に集光させ、集光させた光ビームが光記録媒体にて反射した反射光を光検出器に受光させることによって、情報の記録・再生を行っている。
【０００４】
現在、ＣＤ（Compact Disc）、ＤＶＤ（Digital Versatile Disc）およびＢＤ（Blu-ray Disc）など複数の種類の光記録媒体が情報の記録・再生に用いられている。これらの光記録媒体は、種類によって情報を記録・再生する記録／再生面の位置が異なる。したがって、複数種類（少なくとも２種類）の光記録媒体の記録・再生を行うことができる光ピックアップは、レンズ駆動装置部を駆動させることによって対物レンズの位置を調節し、光ビームの合焦する位置を変更している。これによって、一つの光ピックアップにて複数種類の光記録媒体の記録・再生を行うことができる。
【０００５】
従来のレンズ駆動装置部の構成について、図１４（ａ）および（ｂ）ならびに図１５（ａ）〜（ｅ）を参照して、以下に説明する。
【０００６】
なお、ここでは、光記録媒体として光ディスクを用いたときを例に挙げて説明する。
【０００７】
図１４（ａ）および（ｂ）は、複数種類の光記録媒体の記録・再生を行う光ピックアップ６００を表す図であり、図１４（ａ）は概略平面図であり、図１４（ｂ）は概略側面図である。
【０００８】
光ピックアップ６００は、レンズ駆動装置２００と光学系３００とから構成されており、レンズ駆動装置２００と光学系３００とはピックアップベース４００に取り付け固定されている。光学系３００は、立上げミラー３０２、コリメータレンズ３０３、ビームスプリッタ３０４、センサレンズ３０５、受光素子３０６、回折格子３０７、および半導体レーザ３０８から構成されている。
【０００９】
図１４（ａ）に示すように、半導体レーザ３０８から出射された光ビーム３５０は、回折格子３０７を通過することによって、記録／再生に使うメインビームとトラッキングの制御に使うサブビームとに分割される。メインビームおよびサブビームは、同一の経路を経て光ディスクに導かれるため、ここでは共に光ビーム３５０とする。回折格子３０７を通過した光ビーム３５０は、ビームスプリッタ３０４にて反射し、コリメータレンズ３０３を通ることによって、略平行光となる。図１４（ｂ）に示すように、略平行光となった光ビーム３５０は、立上げミラー３０２によって、レンズ駆動装置２００の対物レンズ２０２に導かれ、対物レンズ２０２によって図示しない光ディスクに照射される。
【００１０】
照射された光ビーム３５０は、光ディスクの記録／再生面にてピットと呼ばれる凹凸によって反射される。反射された光ビーム３５０は、対物レンズ２０２への入射時の光路を逆行してビームスプリッタ３０４に到達する。ビームスプリッタ３０４を透過した光ビーム３５０は、センサレンズ３０５に導かれる。センサレンズ３０５は、光ビーム３５０に対して非点収差を付加し、受光素子３０６上に光ビーム１０１を落射する。受光素子３０６は、落射した光ビーム３５０から光ディスクに記録された情報を電気信号に変換すると共に、自動焦点やトラック追従といった対物レンズ２０２の制御に用いるサーボ信号を生成する。レンズホルダ２１０は、生成されたサーボ信号にしたがって、情報の記録・再生を行うのに最適な位置になるように光ディスクと対物レンズ２０２との相対位置を保持する。これによって、良好な記録・再生特性を維持することができる。
【００１１】
なお、図１５（ａ）〜（ｅ）は、レンズ駆動装置２００の構成を表す図であり、図１５（ａ）はレンズ駆動装置２００の概略平面図であり、図１５（ｂ）は、Ａ−Ａ’線に沿う概略矢視断面図であり、図１５（ｃ）は概略背面図であり、図１５（ｄ）は、概略側面図であり、図１５（ｅ）は、概略正面図である。
【００１２】
レンズ駆動装置２００は、レンズホルダ２１０、ベース２１５、基板２１６、およびワイヤホルダ２１７から構成されている。また、レンズホルダ２１０には、対物レンズ２０２が取り付けられている。
【００１３】
光ピックアップ６００の構成では、光ビーム３５０は、ベース２１５、基板２１６およびワイヤホルダ２１７に到達する前に立上げミラー３０２によって反射され、対物レンズ２０２へと導かれる。すなわち、立上げミラー３０２の反射面３０２ａは、ベース２１５、基板２１６およびワイヤホルダ２１７の備えられている位置とは反対方向を向くように備えられている。
【００１４】
特許文献１および２には、上述した光ピックアップの構成を備えた複数種類の光記録媒体の記録・再生を行う光ピックアップが開示されている。
【００１５】
一方、特許文献３には、立上げミラーの反射面がベース、基板およびワイヤホルダの備えられている方向を向くように備えられた構成の光ピックアップが開示されている。
【００１６】
特許文献３に記載の構成を図１６に示して、以下に説明する。
【００１７】
なお、ここでは、光記録媒体として光ディスクを用いたときを例に挙げて説明する。
【００１８】
光ピックアップ５００は、主としてレンズホルダ５１０、アクチュエータベース５１５、立上げミラー５２２から構成されている。レンズホルダ５１０には、対物レンズ５０２が取り付けられている。図示しない光源から出射された光レーザ５２３は、立上げミラー５２２にて反射され、レンズホルダ５１０を貫通し、対物レンズ５０２に導かれる。対物レンズ５０２に入射した光レーザ５２３は、対物レンズ５０２によって集光され、図示しない光ディスク上に落射する。また、レンズホルダ５１０は、レンズホルダ５１０の外部から与えられる信号に応じて、同図の上下方向に動くことができるため、光レーザ５２３が対物レンズ５０２によって集光される位置を光記録媒体の種類に応じて調節することができる。
【特許文献１】特開２００２−２６９８０４号公報（平成１４年９月２０日  公開）
【特許文献２】特開２００３−３３８０６２号公報（平成１５年１１月２８日  公開）
【特許文献３】特開２００６−４８８９６号公報（平成１８年２月１６日  公開）
【発明の開示】
【発明が解決しようとする課題】
【００１９】
特許文献３に記載のレンズ駆動装置は、立上げミラー５２２がアクチュエータベース５１５上に備えられていないため、光ピックアップの厚さが厚くなってしまい、光ピックアップの薄型化を実現することが困難であった。
【００２０】
特許文献３に記載のレンズ駆動装置では、立上げミラー５２２が、アクチュエータベース５１５の下側に備えられているため図１６に示すように、光ピックアップが厚くなってしまうという問題がある。
【００２１】
この問題を解決するために、特許文献１・２に記載の光ピックアップでも、立上げミラーをアクチュエータベース５１５に相当するピックアップベース４００上に備えている。ところが、この特許文献１・２に記載の光ピックアップにおいても、まだ光ピックアップの薄型化を十分に図ることができない。
【００２２】
この理由について説明する。上記したように光記録媒体は、種類に応じて、記録／再生面が異なる。記録／再生面が異なるため、これに合わせて、光ピックアップは、光記録媒体における光ビームの集光位置を変える必要がある。光記録媒体における光ビームの集光位置を変えるためには、対物レンズと光記録媒体との位置関係を変更する必要がある。つまり、光記録媒体に対して対物レンズを近づけたり遠ざけたりする必要がある。そのため、対物レンズが、光記録媒体とは反対側に配設された立上げミラーと衝突することを避けるために、対物レンズと立上げミラーとの距離をある程度離す必要がある。従って、特許文献１・２に記載の光ピックアップにおいても、まだ光ピックアップの薄型化を十分に図ることができなかった。
【００２３】
特許文献１・２に記載のレンズ駆動装置の課題についての具体例を図１５（ａ）〜（ｅ）にしたがって、具体的に説明する。
【００２４】
ここでは、光記録媒体として光ディスクを用いたときを例に挙げて説明する。
【００２５】
図１５（ａ）〜（ｅ）は、例えば、基板総厚１．２ｍｍ、記録面が総厚のほぼ１／２（０．６ｍｍ）の位置にある光ディスク１に対して、光レーザ３５０が最適に合焦している状態を示している。この状態において、図１５（ｅ）に示すように、レンズホルダ２１０と立上げミラー３０２は、距離Ｘ１だけ離れた状態にある。
【００２６】
光ディスク１は、通常、記録／再生面の反対側に、コンテンツを書き記したレーベル面を備えている。光ディスク１には、光ピックアップのレーザ出力を用いて、レーベル面に図形などを書き込むことができる特殊なものもある。このような光ディスク１に対して書き込みを行う場合には、光ビーム３５０をレーベル面に対して合焦させるため、距離Ｘ１は、基板総厚のほぼ１／２の位置に合焦させたときに比べて約０．６ｍｍ小さくなる。すなわち、レンズホルダ２１０と立上げミラー３０２の間の距離は、約０．６ｍｍ短くなる。
【００２７】
レンズホルダ２１０と立上げミラー３０２との間の距離が短くなったとき、立上げミラー３０２の先端部３０２ｂと、レンズホルダ２１０の底面とが干渉しないようにするためには、レンズホルダ２１０のミラー３０２側に移動するための空間をあらかじめ確保しておかなければならない。すなわち、レンズホルダ２１０と立上げミラー３０２との間の距離を十分確保しておかなければならない。
【００２８】
また、例えば、光ディスク１としてＢＤなどの高密度情報記録再生媒体を用いた場合には、光ディスク１と対物レンズ２０２との間の距離（ワーキングディスタンス）が約０．３ｍｍ以下となる。そのため、光ピックアップを含むドライブに光ディスク１を装填した後、所定の位置に光ディスク１がセットされるまでの間、光ディスク１と対物レンズ２０２との衝突を避けるため、レンズ駆動機構に直流電圧を掛けてレンズホルダ２１０をミラー３０２側に移動させ、光ディスク１と対物レンズ２０２との距離を離しておかなければならない。
【００２９】
このため、対物レンズ２０２と光ディスク１とが接触しない位置までレンズホルダ２１０を移動させるための空間をあらかじめ十分確保しておかなければならない。
【００３０】
なお、例えば、基板総厚１．２ｍｍ、記録面が対物レンズ２０２側から見て１．２ｍｍの位置にある光ディスク１に対して光ビーム３５１が最適に合焦すると、距離Ｘ１は、基板総厚のほぼ１／２の位置に合焦させたときに比べて約０．６ｍｍ大きくなる。すなわち、レンズホルダ２１０と立上げミラー３０２の間の距離は、約０．６ｍｍ長くなる。
【００３１】
本発明は、上記課題を解決するために、ミラーに対するレンズ保持部のストロークを十分確保したレンズ駆動機構を備えることにより、薄型化を図った光ピックアップを提供することを目的としている。
【課題を解決するための手段】
【００３２】
本発明に係るレンズ駆動機構は、上記課題を解決するために、光記録媒体に対して光ビームを集光する対物レンズと上記対物レンズを上記光記録媒体に対して移動可能に保持するレンズ保持部と、を備えたレンズ駆動機構であって、上記対物レンズには、反射面が上記レンズ保持部を向いた傾斜面を持つミラーによって反射された光が、上記光ビームとして入射され、上記ミラーに端部が対向するように上記レンズ保持部が設けられ、上記レンズ保持部の端部は、上記ミラー側に切り欠き部を有していることを特徴としている。
【００３３】
光記録媒体の種類によって、記録／再生面の位置が異なるため、光記録媒体の種類に応じて、対物レンズをミラーに対して遠ざかる、または近づくようにスクロールさせる必要がある。
【００３４】
上記構成によれば、ミラーは、傾斜している反射面をレンズ保持部の内側に向けて、レンズ保持部に対向する端部に備えられている。また、レンズ保持部の端部には、切り欠き部が設けられているため、該切り欠き部にミラーの先端が入り込むことができる。そのため、切り欠き部が設けられていない場合に比べて、切り欠き部の分、レンズ保持部のスクロール量は大きくなる。これによって、レンズ保持部の端部に切り欠き部を設けることによって、レンズ駆動機構を備えた光ピックアップの薄型化を図りつつ、レンズ保持部がスクロールする空間を十分に確保することができる。
【００３５】
したがって、あらかじめレンズ保持部とミラーとの間の距離を大きく確保することによってレンズ保持部がスクロールする空間を確保しておく必要がないため、該レンズ駆動機構を備えた光ピックアップの薄型化を図ることができる。
【００３６】
また、本発明に係るレンズ駆動機構では、さらに、上記切り欠き部は、傾斜して形成されていることが好ましい。
【００３７】
ミラーの反射面は、傾斜を有しており、またレンズ保持部の切り欠き部も傾斜して形成されているため、レンズ保持部とミラーとが接触することなく、スクロールするスクロール量を大きくすることができる。したがって、レンズ保持部のストローク量をより大きくすることができる。
【００３８】
したがって、レンズホルダのストローク量をより大きく確保することができるため、レンズ駆動機構を備えた光ピックアップをより薄型化することができる。
【００３９】
また、本発明に係るレンズ駆動機構では、さらに、上記レンズ保持部の端部の上記ミラー側に設けられた斜面は、上記ミラーの反射面と平行であることが好ましい。
【００４０】
ミラーの反射面の斜面と、レンズ保持部の端部に形成された切り欠きの斜面とが平行になっていることによって、ミラーの反射面からレンズ保持部の切り欠きまでの距離がいずれの箇所においても同一となる。これにより、レンズ保持部とミラーとがスクロール中に接触することなく、レンズ保持部を最大限スクロールさせることができる。これによって、レンズ保持部がストロークすることができる範囲を最大限に確保することができる。
【００４１】
したがって、レンズホルダのストローク量をより一層大きく確保することができるため、レンズ駆動機構を備えた光ピックアップのより一層の薄型化を図ることができる。
【００４２】
また、本発明に係るレンズ駆動機構では、さらに、上記対物レンズは、上記レンズ駆動機構の端部に位置していることが好ましい。
【００４３】
上記構成によれば、対物レンズは、レンズ保持部の端部に備えられている。これによって、対物レンズに光ビームを導くミラーも、レンズ保持部に対向する端部に備えられることになる。ミラーの反射面は傾斜を有しており、またレンズ保持部には切り欠き部が設けられていることから、ミラーをレンズ保持部の端部に対向する位置に備えることにより、より一層レンズ保持部のスクロール量を確保することができる。
【００４４】
また、本発明に係るレンズ駆動機構では、さらに、上記対物レンズの外周には、上記レンズ保持部に保持されるための突起部が上記該対物レンズへの上記光ビームの入射方向と直交する方向に設けられており、上記レンズ保持部から突出した該突起部は、該突起部が突出している該レンズ保持部の周縁に沿うように切断されていることが好ましい。
【００４５】
上記構成によれば、対物レンズに設けられた突起部がレンズ保持部から突出することなく、対物レンズの突起部が切断されている側の端部は、レンズ保持部の周縁と略同一面を形成している。レンズ保持部がスクロールするとき、突出した突起部とミラーとが接触することなく、レンズ保持部を最大限スクロールさせることができる。
【００４６】
また、本発明に係るレンズ駆動機構では、さらに、レンズ保持部の端部は、上記ミラーの傾斜面における上記レンズ保持部側の端部よりも光ビームの入射側に位置していることが好ましい。
【００４７】
レンズ保持部のスクロール量は、レンズ保持部とミラーとの最も間隔の狭い部分の距離にて決定されている。したがって、ミラーのレンズ保持部との距離が最も近い先端をレンズ保持部の外側に位置するように備えることによって、ミラーとレンズ保持部との間隔を広くすることができる。すなわち、レンズ保持部のスクロール量をより大きく確保することができるため、レンズ駆動機構を備えた光ピックアップをより一層薄型化することができる。
【００４８】
また、本発明に係るレンズ駆動機構では、さらに、光ビームが上記対物レンズに導かれる光路が設けられていることが好ましい。
【００４９】
本発明では、ミラーは、レンズ保持部の内側を向くように備えられているため、光ビームの光路には基板、ワイヤホルダ、ベース、およびレンズ保持部が備えられている。したがって、基板、ワイヤホルダ、ベース、およびレンズ保持部に光ビームが通過するための切り欠きを設けることによって、光ビームは、遮られることなく、対物レンズへと導かれる。
【００５０】
したがって、レンズ駆動機構が厚くなるような、新たな光路の作製をする必要がなく、レンズ駆動機構を薄型化することができる。
【００５１】
また、本発明には、本発明のレンズ駆動機構を備えた光ピックアップも含まれる。
【発明の効果】
【００５２】
本発明に係るレンズ駆動機構は、以上のように、ミラーがレンズ保持部の内側を向くようにレンズ保持部に対向する端部に備えられており、かつレンズ保持部の上記ミラー側の端部が切り欠かれていることを特徴としている。
【００５３】
それ故、上記レンズ保持部の端部とミラーとの間隔を十分に確保することができる。そのため、本発明のレンズ駆動機構を備えた光ピックアップの薄型化を図りつつ、ミラーに対するレンズ保持部のストローク量を十分確保することができるという効果を奏する。
【発明を実施するための最良の形態】
【００５４】
〔実施形態１〕
本発明に係る一実施形態について、図面を用いて説明する。なお、本実施の形態においては、光記録媒体として光ディスクを用いたときを例に挙げて説明するがこれに限定されず、光ディスク以外の光記録媒体でもよい。
【００５５】
（光ピックアップ１００の構成）
まず、光ピックアップ１００の構成について、図２（ａ）および（ｂ）を参照して、以下に説明する。
【００５６】
図２（ａ）および（ｂ）は、複数種類の光記録媒体の記録・再生を行う光ピックアップ１００を表す図であり、図２（ａ）は概略平面図であり、図２（ｂ）は概略側面図である。
【００５７】
光ピックアップ１００は、レンズ駆動機構５０と光学系１１０とこれらを載置したピックアップベース１５０とを備えている。図中、光学系１１０は、破線にて示しているが、上記の立上げミラー１０２は、便宜上破線の外側に記載している。この点は本発明の特徴点に関わるため、後に詳述する。
【００５８】
（レンズ駆動機構５０の構成）
レンズ駆動機構５０の構成について図１（ａ）〜（ｃ）を参照して以下に説明する。
【００５９】
図１（ａ）〜（ｃ）は本実施の形態に係るレンズ駆動５０の構成を表す図であり、（ａ）は概略平面図であり、（ｂ）は概略側面図であり、（ｃ）は概略正面図である。
【００６０】
図１（ａ）に示すように、レンズ駆動機構５０は、ベース１５、基板１６、ワイヤホルダ１７、および駆動部２０が備えられている。
【００６１】
駆動部２０は、レンズホルダ１０、対物レンズ２、およびワイヤ１２ａ、１２ｂなどから構成されている。レンズホルダ１０には、対物レンズ２が取り付けられている。また、ワイヤホルダ１７を貫通するワイヤ１２ａおよび１２ｂは、基板１６に接続されており、レンズホルダ１０を立上げミラー１０２と接触しないように支持している。駆動部２０については、後に詳述する。
【００６２】
ここで、立上げミラー１０２について説明する。立上げミラー１０２は、光学系１１０を構成するものであり、光ビームを反射することにより、対物レンズ２に導くためのミラーである。
【００６３】
図１（ｂ）に示すように、立上げミラー１０２は、反射面１０２ａがピックアップベース１５０に対して４５度の角度を有し、かつレンズホルダ１０の内側、すなわち、ベース１５、基板１６およびワイヤホルダ１７などが備えられている方向を向くように、レンズホルダ１０に対向する端部に備えられている。
【００６４】
このように、立上げミラー１０２は、光学系１１０を構成する他の部材とは離れた位置に備えられることとなるため、便宜上、光学系１１０を示す破線の外側に記載している。（図２（ａ）、（ｂ））
また、図１（ｃ）に示すように、基板１６には、切り欠き１６ｅが設けられている。なお、ここでは図示しないが、レンズホルダ１０、ベース１５、およびワイヤホルダ１７にも同様に切り欠きが設けられている。
【００６５】
（駆動部２０の構成）
駆動部２０の構成について図３（ａ）〜（ｃ）を参照して以下に説明する。
【００６６】
図３（ａ）〜（ｃ）は、レンズホルダ１０の構成を示すものであり、（ａ）は駆動部２０の構成を表す概略平面図であり、（ｂ）はＧ−Ｇ’線に沿う概略矢視断面図であり、（ｃ）は概略正面図である。
【００６７】
上記のレンズホルダ１０には、図３（ａ）および（ｂ）に示すように、フォーカスコイル１３およびトラッキングコイル１４が備えられている。
【００６８】
フォーカスコイル１３は、光ディスクと対物レンズ２との距離を略一定に維持するフォーカスサーボを行うためのものであり、レンズホルダ１０に取り付け固定されている。また、トラッキングコイル１４は、フォーカスコイル１３が正確に光ディスクの情報をトレースするためのトラッキングサーボを行うためのものであり、フォーカスコイル１３に１対のトラッキングコイル１４が取り付け固定されている。
【００６９】
フォーカスコイル１３およびトラッキングコイル１４の端末は、中継基板１１ａおよび１１ｂに半田付けされている。
【００７０】
また、図３（ａ）および（ｃ）に示すように、ワイヤ１２ａおよび１２ｂは、レンズホルダ１０のワイヤ孔１０ｃを介してそれぞれ中継基板１１ａおよび１１ｂに半田付けされている。レンズホルダ１０には、切り欠き１０ｂが設けられている。
【００７１】
ここで、駆動部２０を構成するレンズホルダ１０および対物レンズ２について図４（ａ）〜（ｃ）を参照して以下に説明する。
【００７２】
図４（ａ）は、レンズホルダ１０を表す平面図であり、（ｂ）は対物レンズ２を表す平面図であり、（ｃ）は対物レンズ２を表す側面図である。
【００７３】
図４（ａ）に示すように、レンズホルダ１０は、ワイヤ１２ａおよび１２ｂが接続される中継基板１１ａ・１１ｂおよび対物レンズ２を取り付けるための切り欠き状のレンズ取り付け溝１０ａを備えている。
【００７４】
図４（ｂ）および（ｃ）に示すように、対物レンズ２は、外縁部にレンズ取り付け溝１０ａに取り付けるためのツバ部２ａを備えている。ツバ部２ａは、平面形状が図２（ｂ）に示すように、Ｄ字型となるように、一部カットされている。ツバ部２ａをＤ字型となるようにカットした対物レンズ２の部位をＤカット部２ｄとする。
【００７５】
レンズ取り付け溝１０ａに対物レンズ２を取り付けたとき、Ｄカット部２ｄは、レンズホルダ１０の周縁部と略同一面となるように作製されている。
【００７６】
（ベース１５の構成）
ベース１５は、図１（ｂ）に示すように、レンズホルダ１０およびワイヤホルダ１７の下部に取り付けられており、レンズホルダ１０およびワイヤホルダ１７を保持するために、ピックアップベース１５０に取り付けられている。
【００７７】
ベース１５の構成について、図５（ａ）〜（ｃ）を参照して以下に説明する。
【００７８】
図５（ａ）はベース１５を表した概略平面図であり、（ｂ）は概略正面図であり、（ｃ）はＫ−Ｋ’線に沿う概略矢視断面図である。
【００７９】
図５（ｃ）に示すように、ベース１５には一対のマグネット１８ａ・１８ｂおよび板１９が取り付け固定されている。また、図５（ａ）に示すように、ベース１５には、ワイヤホルダ１７を取り付けるためのワイヤホルダ取り付け孔１５ｂが設けられている。また、図５（ｂ）に示すように、ベース１５には、切り欠き１５ｅが設けられている。
【００８０】
ベース１５に取り付けられているマグネット１８ａおよび１８ｂの極性は、ワイヤ１２を流れるドライブ電流により発生するローレンツ力が、所定の方向となるように、ワイヤの巻き方向と共に設定されている。また、板１９がベース１５に取り付け固定されることによって、ベース１５と、マグネット１８ａおよび１８ｂと、板１９とにより磁気回路が構成されている。
【００８１】
（基板１６の構成）
基板１６は、図１（ｂ）に示すように、ワイヤ１２ａ、１２ｂの一端はレンズホルダ１０に接続されているが、他端は、基板１６に接続されている。基板１６は、ワイヤ１２ａ、１２ｂを介して、ワイヤホルダ１７およびレンズホルダ１０と接続されている。
【００８２】
基板１６の構成について、図６（ａ）〜（ｃ）を参照して以下に説明する。
【００８３】
図６（ａ）は基板１６を表した概略平面図であり、（ｂ）は概略正面図であり、（ｃ）はＭ−Ｍ’線に沿う概略矢視断面図である。
【００８４】
図６（ｂ）に示すように、基板１６にはワイヤホルダ１７を貫通したワイヤ１２ａ、１２ｂを接続するためのワイヤ取り付け孔１６ａが設けられている。また、基板１６には、切り欠き１６ｅが設けられている。
【００８５】
また、基板１６には、フォーカス方向（光ディスクの記録／再生面に対して垂直方向）および／またはトラッキング方向（光ディスクの半径方向）にレンズホルダ１０を駆動するためのドライブ信号がレンズ駆動機構外部から伝えられる。ドライブ信号は、基板１６からワイヤ１２ａおよび１２ｂ、ならびに中継基板１１ａおよび１１ｂを介して、フォーカスコイル１３および／またはトラッキングコイル１４に伝えられる。
【００８６】
（ワイヤホルダ１７の構成）
ワイヤホルダ１７は、図１（ｂ）に示すように、レンズホルダ１０と共にベース１５上
に備えられており、さらにワイヤ１２ａおよび１２ｂを介してレンズホルダ１０および基板１６と接続されている。また、レンズホルダ１０および基板１６に接続されているワイヤ１２ａおよび１２ｂは、ワイヤホルダ１７を貫通している。
【００８７】
レンズ駆動機構５０を構成するワイヤホルダ１７の構成について、図７（ａ）〜（ｃ）を参照して以下に説明する。
【００８８】
図７（ａ）はワイヤホルダ１７を表した概略平面図であり、（ｂ）は概略正面図であり、（ｃ）はＯ−Ｏ’線に沿う概略矢視断面図である。
【００８９】
図７（ａ）および（ｂ）に示すように、ワイヤホルダ１７には、ベース１５に接続される側の端部にワイヤホルダ１７を取り付け固定するためのベース取り付け部１７ｂが設けられている。また、ワイヤホルダ１７には、切り欠き１７ｅが設けられている。
【００９０】
図７（ｃ）に示すように、ワイヤホルダ１７のベース取り付け部１７ｂに対向する端部には、溝１７ａが設けられており、溝１７ａにはダンピング材１７ｄが充填されている。
【００９１】
これによって、レンズホルダ１０は、ワイヤホルダ１７を貫通するワイヤ１２ａおよび１２ｂと、ワイヤホルダ１７に充填されたダンピング材１７ｄとによって振動系を構成する。振動系とは、レンズホルダ１０のスクロール時に発生する振動を吸収するための機構である。
【００９２】
（光学系１１０の構成および動作）
次に、光ピックアップ１００を構成する光学系１１０について、図２（ａ）および（ｂ）を参照して以下に説明する。
【００９３】
光学系１１０には、立上げミラー１０２、コリメータレンズ１０３、ビームスプリッタ１０４、センサレンズ１０５、受光素子１０６、回折格子１０７、および半導体レーザ（レーザ）１０８が備えられている。
【００９４】
上述したように、立上げミラー１０２は、便宜上、光学系１１０を示す破線の外側に記載している。
【００９５】
図２（ａ）に示すように、半導体レーザ１０８から出射された光ビーム１０１は、回折格子１０７を通過することによって、記録／再生に使うメインビームとトラッキングの制御に使うサブビームとに分割される。メインビームおよびサブビームは、同一の経路を経て光ディスクに導かれるため、ここでは共に光ビーム１０１とする。回折格子１０７を通過した光ビーム１０１は、共にビームスプリッタ１０４にて反射し、コリメータレンズ１０３を通ることによって、略平行光となる。略平行光となった光ビーム１０１は、図２（ｂ）に示すように基板１６、ワイヤホルダ１７およびベース１５を経由して立上げミラー１０２によってレンズ駆動機構５０の対物レンズ２に導かれ、対物レンズ２によって図示しない光ディスクに照射される。
【００９６】
照射された光ビーム１０１は、光ディスクの記録／再生面にてピットと呼ばれる凹凸によって反射される。反射された光ビーム１０１は、図２（ａ）に示すように、対物レンズ２への入射時の光路を逆行してビームスプリッタ１０４に到達する。ビームスプリッタ１０４を透過した光ビーム１０１は、センサレンズ１０５に導かれる。センサレンズ１０５は、光ビーム１０１に対して非点収差を付加し、受光素子１０６上に光ビーム１０１を落射する。受光素子１０６は、落射した光ビーム１０１から光ディスクに記録された情報を電気信号に変換すると共に、自動焦点やトラック追従といった対物レンズ２の制御に用いるサーボ信号を生成する。生成されたサーボ信号に基づいて、レンズホルダ１０が駆動するため、情報の記録・再生を行うのに最適な位置になるように光ディスクと対物レンズ２との相対位置が保持される。これによって、良好な記録・再生特性を維持することができる。
【００９７】
すなわち、レンズ駆動機構５０には、切り欠き部が設けられた一端とは反対側の端部から光ビーム１０１が入射され、光ビーム１０１は、立上げミラー０１２の反射面１０２ａにて反射して、対物レンズ２へと導かれるようになっている。
【００９８】
（光ディスクの種類の違いによるレンズ駆動機構５０の状態の違い）
本発明の目的は、対物レンズが、光ディスクとは反対側に配設された立上げミラーと衝突することを避けるために、本発明のレンズ駆動機構を備える光ピックアップの薄型化を図りつつ、対物レンズと立上げミラーとの距離を十分に確保することができるレンズ駆動機構を提供することにある。
【００９９】
そのために、図１（ｂ）に示すように、立上げミラー１０２は、上述したように反射面１０２ａがレンズホルダ１０の内側、すなわち、ベース１５、基板１６およびワイヤホルダ１７などが備えられている方向を向くようにレンズホルダ１０の端部に備えられている。これによって、光ビームは、ベース１５、基板１６およびワイヤホルダ１７を経由して立上げミラー１０２に到達することになる。
【０１００】
したがって、図１（ｃ）に示すように、基板１６には、立上げミラー１０２に到達する光ビームの光路を遮らないように、上述した切り欠き１６ｅが設けられている。図１（ｃ）には記載されていないが、レンズホルダ１０、ベース１５、およびワイヤホルダ１７にも立上げミラー１０２に到達する光ビームの光路を遮らないように、切り欠き１０ｂ、１５ｅ、および１７ｅが設けられている。
【０１０１】
これによって、半導体レーザから出射された光ビームは、光路にベース１５、基板１６およびワイヤホルダ１７が備えられていても、立上げミラー１０２に到達し、対物レンズ２へと導かれる。
【０１０２】
また、レンズホルダ１０の立上げミラー１０２の備えられている側の端部には、切り欠き（特許請求の範囲に記載の「切り欠き部」）が設けられている。
【０１０３】
レンズホルダ１０の上記端部を切り欠くことによって、立上げミラー１０２の先端は、レンズホルダ１０の底面よりもピックアップベース１５０からの高さが高くなる。立上げミラー１０２の先端とレンズホルダ１０の底面よりも高くなっている分だけ、レンズホルダ１０のピックアップベース１５０側へストロークすることができる量が大きくなっている。
【０１０４】
したがって、レンズホルダ１０が、記録・再生する光ディスクの種類の違いにより、ピックアップベース１５０側にストロークしても対物レンズ２と立上げミラー１０２との物理的な干渉が発生しないようにすることができる。
【０１０５】
また、レンズホルダ１０に設けられた切り欠きは、いかなる形状のものであってもよいが、切り欠いた面が斜面となるように切り欠くことが好ましく、切り欠かれた斜面が立上げミラー１０２の反射面１０２ａと平行となるように切り欠くことがさらに好ましい。
【０１０６】
レンズホルダ１０のピックアップベース１５０側へストロークすることができる量は、立上げミラー１０２とレンズホルダ１０との間隔が最も狭い部分の距離と同値である。
【０１０７】
したがって、反射面１０２ａと平行となるような斜面に切り欠くことによって、レンズホルダ１０のピックアップベース１５０側へストロークする量を最も大きくすることができる。
【０１０８】
さらに、レンズホルダ１０のピックアップベース１５０側へストロークする量を維持しつつ、対物レンズ２に光ビームを導くことができる範囲内において、立上げミラー１０２を備える位置を自由に変更することができる。レンズホルダ１０の端部は、立上げミラー１０２の先端よりも内側に位置するようにそなえられていることが好ましい。
【０１０９】
具体的な例として図８（ａ）および（ｂ）〜図１０（ａ）および（ｂ）を挙げ、以下に説明する。
【０１１０】
図８（ａ）および（ｂ）は、光ディスク１の記録／再生時におけるレンズ駆動機構５０の状態を表した図であり、（ａ）は概略断面図であり、（ｂ）は概略側面図である。
【０１１１】
図９（ａ）および（ｂ）は、レーベル面に対して書き込みを行うことができる光ディスク１ａの書き込み時におけるレンズ駆動機構５０の状態を表した図であり、（ａ）は概略断面図であり、（ｂ）は概略側面図である。
【０１１２】
図１０（ａ）および（ｂ）は、ワーキングディスタンスを大きく確保する必要のある光ディスク１ｂを情報記録再生装置に充填した場合のレンズ駆動機構５０の状態を表した図であり、（ａ）は概略断面図であり、（ｂ）は概略側面図である。
【０１１３】
ここで、図８（ａ）および（ｂ）〜図１０（ａ）および（ｂ）に示した光ディスクについて説明する。
【０１１４】
図８（ａ）および（ｂ）に示す光ディスク１は、例えば、基板総厚１．２ｍｍ、記録面が総厚のほぼ１／２（０．６ｍｍ）の位置にある光ディスクである。
【０１１５】
図９（ａ）および（ｂ）に示す光ディスク１ａは、例えば、光ディスク１ａのレンズホルダ１０側底面に図形などを書き込むことができるレーベル面を備えた光ディスクである。すなわち、光ディスク１ａは、基板総厚１．２ｍｍ、書き込み面がレンズホルダ１０側の底面にある光ディスクである。
【０１１６】
図１０（ａ）および（ｂ）に示す光ディスク１ｂは、例えば、青色レーザを使用して情報の記録・再生を行う高密度光ディスクである。光ディスク１ｂは、記録・再生時に対物レンズ２と光ディスク１ｂとの間隔（ワーキングディスタンス）が狭いため、記録・再生時まで光ディスク１ｂと対物レンズ２とが接触することを防ぐ必要がある光ディスクである。
【０１１７】
光ディスク１に対して記録・再生を行う場合、図８（ａ）に示すように、レンズホルダ１０は、切り欠き１６ｅ、１７ｅおよび１５ｅを通過し、立上げミラー１０２にて反射した光ビーム１０１を対物レンズ２によって光ディスク１の記録面に対して合焦するように対物レンズ２の位置を調節する。
【０１１８】
このとき、図８（ｂ）に示すように、ピックアップベース１５０からの高さは、対物レンズ２は、立上げミラー先端部１０２ｂよりも高くなっているため、対物レンズ２と立上げミラー１０２が接触することはない。
【０１１９】
次に、光ディスク１ａに対して記録を行う場合、図９（ａ）に示すように、レンズホルダ１０は、図８（ａ）と同様の経路にて入射する光ビーム１０１が光ディスク１ａのレーベル面に合焦するように対物レンズ２の位置を調節する。
【０１２０】
上述したように対物レンズ２の位置が調節された場合、対物レンズ２のピックアップベース１５０からの高さは、基板総厚の１／２の位置に合焦させるときに比べておよそ０．６ｍｍ低くなっている。
【０１２１】
その結果、図９（ｂ）に示すように、対物レンズ２のピックアップベース１５０側端部２ｃのピックアップベース１５０からの高さは、立上げミラー先端部１０２ｂよりも低くなる。
【０１２２】
しかし、レンズホルダ１０の端部に設けられた切り欠きによって、対物レンズ２と、立上げミラー１０２とが接触することなく、レンズホルダ１０をピックアップベース１５０側にストロークさせることができる。
【０１２３】
次に、光ディスク１ｂを情報記録再生装置に充填した場合、図１０（ａ）に示すように、レンズホルダ１０は、対物レンズ２と光ディスク１ｂとの接触を防ぐために、対物レンズ２と光ディスク１ｂとの間隔を最大限確保するように対物レンズ２の位置を調節する。
【０１２４】
すなわち、図１０（ａ）および（ｂ）は、レンズホルダ１０が最も立上げミラー１０２側にストロークした状態を示している。
【０１２５】
その結果、図１０（ｂ）に示すように、ピックアップベース１５０からの高さは、立上げミラー１０２側端部１０２ｂの方が、対物レンズ２のツバ部２ａの立上げミラー１０２側の端部２ｅよりも高くなっている。
【０１２６】
しかし、レンズホルダ１０の端部に切り欠きを設けることに加えて、さらに、立上げミラー先端部１０２ｂをレンズホルダ１０が覆うことがないように備えられていること、および対物レンズ２のツバ部２ａにＤカット部２ｄが設けられていることによって、対物レンズ２と、立上げミラー１０２とが接触することなく、レンズホルダ１０をピックアップベース１５０側にストロークさせることができる。
【０１２７】
（レンズホルダ１０のストローク量）
従来のレンズホルダ２１０のストローク量Ｘ１と本発明のレンズホルダ１０のストローク量Ｘ２との違いを図１１（ａ）および（ｂ）に示した。
【０１２８】
図１１（ａ）は従来のレンズホルダ２１０のストローク量Ｘ１を示す図であり、図１１（ｂ）は本実施の形態におけるレンズホルダ１０のストローク量Ｘ１を示す図である。
【０１２９】
図１１（ａ）に実線で示した立上ミラー３０２は、レンズホルダ２１０が最も光ディスク側に位置している場合を示しており、破線で示した立上げミラー３０２は、レンズホルダ２１０がもっとも立上げミラー２１０側に位置している場合を示している。この実線で示した立上げミラー先端部３０２ｂと破線で示した立上げミラー先端部３０２ｂとの間隔をストローク量Ｘ１とした。また、ストローク量Ｘ２は、ストローク量Ｘ１と同様に、実線で示した立上げミラー先端部１０２ｂと破線で示した立上げミラー先端部１０２ｂとの間隔である。
【０１３０】
レンズホルダ１０は、立上げミラー先端部１０２ｂと接触することなくストロークすることができるため、図１１（ａ）および（ｂ）に示したように、ストローク量Ｘ２の方がストローク量Ｘ１よりも大きくなる。すなわち、同じ厚さの光ピックアップにおいて、本実施の形態のレンズホルダ１０は従来のレンズホルダ２１０より大きなストローク量を確保することができる。
【０１３１】
したがって、ストローク量Ｘ１とストローク量Ｘ２との差の量だけ、レンズ駆動機構５０を備えた光ピックアップを薄型化することができる。
【０１３２】
また、本発明は、ワーキングディスタンスを大きく確保する必要がある光ディスクにおいて、光ピックアップの厚さを厚くすることなく、ストローク量を確保することができるため、特に好適に用いることができる。
【０１３３】
〔実施形態２〕
本発明に係る一実施形態について、図１２（ａ）〜（ｃ）から図１３を参照して以下に説明する。
【０１３４】
（レンズホルダ１０の構成）
なお、実施形態１と同様の部材に関しては、同一の符号を付し、その説明を省略する。したがって、ここでは、突起部２１について図１２（ａ）〜（ｃ）を用いて以下に説明する。
【０１３５】
図１２（ａ）〜（ｃ）は実施形態２におけるレンズホルダ１０を表す図であり、（ａ）は概略平面図であり、（ｂ）はＰ−Ｐ’線に沿う概略矢視断面図であり、（ｃ）は概略正面図である。
【０１３６】
図１２（ｂ）および（ｃ）に示すように、レンズホルダ１０の図示しないピックアップベース１５０に対向する底面からピックアップベース１５０に向かって１対の突起部２１が設けられている。
【０１３７】
（突起部２１）
突起部２１について図１３を用いて以下に説明する。
【０１３８】
図１３は実施形態２におけるレンズ駆動機構を表す概略断面図である。
【０１３９】
突起部２１を備えることにより、レンズホルダ１０がピックアップベース１５０に近づく方向に動いたときに、レンズホルダ１０の端部の切り欠き部１０ｄと立上げミラー１０２の反射面１０２ｂと、および突起部２１と、ピックアップベース１５０とがそれぞれ当接することによって、レンズホルダ１０のストロークを制限することができる。
【０１４０】
突起部２１は、主に非動作時に光ピックアップ外部から衝撃が加わったとき、レンズホルダ１０の移動量を制限することができる。
【０１４１】
また、突起部２１は、動作時に光ピックアップ外部から想定外の衝撃が加わったときにも、レンズホルダ１０の移動量を制限することができる。これによって、光ピックアップ外部からの衝撃などにより、レンズホルダ１０が揺れ、対物レンズ２の集光位置が変化することによって良好な記録・再生特性が得られなくなることを防止することができる。
【０１４２】
また、突起部２１のピックアップベース１５０方向への長さを調節することによって、レンズホルダ１０のストローク量を任意に調節することができる。
【０１４３】
（付記事項）
なお、立上げミラー１０２の形状は、光ビームを対物レンズ２に導くことができる形状であれば、いかなる形状であってもよい。
【０１４４】
なお、光ビームの光路として設けられた切り欠き１０ｂ、１５ｅ、１６ｅ、および１７ｅの形状は、光ビームを遮るものでなければ特に限定されるものではない。具体的な例としては、溝でもよいし孔でもよい。
【０１４５】
なお、光ディスク１、１ａ、および１ｂの種類は、レンズホルダ１０のストローク量Ｘ２の範囲内にて所定の記録／再生面に光ビームを照射できる光ディスクであれば上述した光ディスク１、１ａ、および１ｂに限定されるものではない。
【０１４６】
本実施の形態の光ピックアップは例えば、情報記録再生装置に搭載することができる。
【０１４７】
以上、本発明を実施形態に基づいて具体的に説明したが、本発明は、上述した各実施形態に限定されるものではなく、請求項に示した範囲において種々の変更が可能であり、異なる実施形態にそれぞれ開示された技術的手段を適宜組み合わせて得られる実施形態についても本発明の技術的範囲に含まれる。
【産業上の利用可能性】
【０１４８】
本発明は、青色レーザを用いて高密度記録を可能にする光ディスクのようなワーキングディスタンスを大きく確保する必要のある光ディスクに対応した光ピックアップおよび該光ピックアップを備えた情報記録再生装置に対して、好適に利用することができる。また、光ディスクのレーベル面に記録を行う特殊な光ディスクに対応する光ピックアップおよび該該光ピックアップを備えた情報記録再生装置にも利用することができる。
【図面の簡単な説明】
【０１４９】
【図１】本発明の第１の実施形態におけるレンズ駆動機構の構成を表す図であり、（ａ）は概略平面図であり、（ｂ）は概略側面図であり、（ｃ）は概略正面図である。
【図２】上記実施形態における、光ピックアップの構成を表す図であり、（ａ）は概略平面図であり、（ｂ）は概略側面図である。
【図３】上記実施形態における、レンズ駆動機構の駆動部の構成を表す図であり、（ａ）は概略平面図であり、（ｂ）はＧ−Ｇ’線に沿う概略矢視断面図であり、（ｃ）は概略正面図である。
【図４】（ａ）は上記実施形態における、レンズホルダを表した平面図であり、（ｂ）は上記実施形態における対物レンズを表した平面図であり、（ｃ）は該対物レンズの概略側面図である。
【図５】（ａ）はベースを表す平面図であり、（ｂ）は概略正面図であり、（ｃ）はＫ−Ｋ’線に沿う矢視断面図である。
【図６】（ａ）は基板を表す概略平面図であり、（ｂ）は概略正面図であり、（ｃ）はＭ−Ｍ’線に沿う矢視断面図である。
【図７】（ａ）はワイヤホルダを表す概略平面図であり、（ｂ）は概略正面図であり、（ｃ）はＯ−Ｏ’線に沿う矢視断面図である。
【図８】記録面が総厚のほぼ１／２の位置にある光ディスクの記録／再生時におけるレンズ駆動機構の状態を表す図であり、（ａ）は概略断面図であり、（ｂ）は概略側面図である。
【図９】レンズホルダ側に図形などを書き込むことができるレーベル面を備えた光ディスクの書き込み時におけるレンズ駆動機構の状態を表す図であり、（ａ）は概略断面図であり、（ｂ）は概略側面図である。
【図１０】ワーキングディスタンスを大きく確保する必要のある光ディスクを充填したときのレンズ駆動機構の状態を表す図であり、（ａ）は概略断面図であり、（ｂ）は概略側面図である。
【図１１】レンズホルダのストローク量を示す図であり、（ａ）は従来のレンズホルダのストローク量を示す図であり、（ｂ）は本実施の形態におけるレンズホルダのストローク量を示す図である。
【図１２】本発明の第２の実施形態におけるレンズホルダを表す図であり、（ａ）は概略平面図であり、（ｂ）はＰ−Ｐ’線に沿う概略矢視断面図であり、（ｃ）は概略正面図である。
【図１３】本発明の第２の実施形態におけるレンズ駆動機構を表す概略断面図である。
【図１４】従来の光ピックアップを表す図であり、（ａ）は概略平面図であり、（ｂ）は概略側面図である。
【図１５】従来のレンズ駆動装置を表す図であり、（ａ）は概略平面図であり、（ｂ）はＰ−Ｐ’線に沿う概略矢視断面図であり、（ｃ）は概略背面図であり、（ｄ）は概略側面図であり、（ｅ）は概略正面図である。
【図１６】従来の光ピックアップを表す概略断面図である。
【符号の説明】
【０１５０】
１          光ディスク（光記録媒体）
１ａ        光ディスク（光記録媒体）
１ｂ        光ディスク（光記録媒体）
２          対物レンズ
２ａ        ツバ部（突起部）
２ｄ        Ｄカット部
１０        レンズホルダ（レンズ保持部）
１０ｂ      切り欠き
１５        ベース
１５ｅ      切り欠き
１６        基板
１６ｅ      切り欠き
１７        ワイヤホルダ
１７ｅ      切り欠き
２０        レンズ駆動部
２１        突起部
５０        レンズ駆動機構
１００      光ピックアップ
１０１      光ビーム
１０２      立上げミラー（ミラー）
１０２ａ    反射面
１０２ｂ    立上げミラー先端部
１５０      ピックアップベース
【図１】
2008065958.tif 000003
【図２】
2008065958.tif 000004
【図３】
2008065958.tif 000005
【図４】
2008065958.tif 000006
【図５】
2008065958.tif 000007
【図６】
2008065958.tif 000008
【図７】
2008065958.tif 000009
【図８】
2008065958.tif 000010
【図９】
2008065958.tif 000011
【図１０】
2008065958.tif 000012
【図１１】
2008065958.tif 000013
【図１２】
2008065958.tif 000014
【図１３】
2008065958.tif 000015
【図１４】
2008065958.tif 000016
【図１５】
2008065958.tif 000017
【図１６】
2008065958.tif 000018